(57)【要約】【課題】  電気事業所等に採用される遠隔監視制御装置（ＴＣ）は、監視および制御の万全を図るため、所定の期間経過後には取り替えが必要となるが、電気設備等の系統の部分的に監視・制御対象の機器を切り替える必要があるため、取り替え期間においても適切に対象機器の監視および制御を行うことができる監視制御システムが必要となる。【解決手段】  監視制御システムにおいて、新旧の遠隔監視制御装置を一つの操作画面で操作を行うこととし、工事担当者が作成したスケジュールに基づき、システムの運用者が複数の対象機器の切り替え操作を、安全かつ確実に行うことができる監視制御システムを提供する。【選択図】      図２
2008225805.tif 000002
【特許請求の範囲】
【請求項１】
機器の監視および制御を行う遠隔監視制御装置の取り替え時に、旧来の遠隔監視制御装置から新しい遠隔監視制御装置への切り替え操作の機能を有する監視制御システムであって、
監視対象の機器を示すシンボルに、新旧の遠隔監視制御装置への２重のポジションリンクを設定して、１つの画面に表示する２重ポジションリンク表示手段と、
１つの機器または複数の機器のグループにおける新旧の遠隔監視制御装置の切り替え操作を行うソフトウェアスイッチを、画面に表示する切り替え操作画面表示手段と、
上記シンボルから切り替えを行う機器のシンボルを選択する入力と、上記ソフトウェアスイッチへの入力を受けて、選択した機器の監視および制御を行う遠隔監視制御装置を、旧来の遠隔監視制御装置から新しい遠隔監視制御装置に切り替える遠隔監視制御装置切り替え手段と、
を備えることを特徴とする監視制御システム。
【請求項２】
前記複数の機器のグループにおける新旧の遠隔監視制御装置の切り替え操作において、グループ単位の切り替え操作の予定を、スケジューラに保存する切り替え操作予定保存手段と、
前記スケジューラが保存する切り替え操作の予定を確認画面に表示する確認画面表示手段と、
を備えることを特徴とする請求項１記載の監視制御システム。
【請求項３】
前記スケジューラは、切り替え操作の予定時間の到来を待って、旧来の遠隔監視制御装置から新しい遠隔監視制御装置に切り替える自動切り替え手段を備えることを特徴とする請求項２記載の監視制御システム。
【請求項４】
前記自動切り替え手段は、切り替え対象の機器がオフラインになったことを確認して行うことを特徴とする請求項３記載の監視制御システム。
【請求項５】
監視対象の機器を示す夫々のシンボルに２重のポジションリンクを設定して、前記ソフトウェアスイッチによる機器のグループの切り替えを受けて、夫々のシンボルが対象とするポジションを切り替えることを特徴とする監視制御システムにおけるポジション切り替え方法。
【発明の詳細な説明】
【技術分野】
【０００１】
本発明は、遠隔監視制御装置の取り替え時において、接続した機器（ポジション）の監視および制御を適切に行う監視制御システム及び監視制御システムにおけるポジション切り替え方法に関する。
【背景技術】
【０００２】
従来から、電気事業所等において所有機器の監視および制御を行うために遠隔監視制御装置（ＴＣ）を採用するが、監視および制御の万全を図るため、所定の期間経過後には取り替えが必要となる。
【０００３】
具体的には、電力供給設備等の機能を維持しつつ全部を一度に切り替えることは不可能であるため、部分的に範囲を設定しながら、順次全体を取り替える方法が用いられていた。
【０００４】
そのため、遠隔監視制御装置が行う機器の監視および制御を管理するシステムにおいて、部分的な切り替えの都度、旧来の遠隔監視制御装置と新しい遠隔監視制御装置のデータベースを、それぞれ作成しなければならず、経費面および担当者の作業面で大きな負担となっていた。
【０００５】
また、システムを運用する担当者は、機器により、または、時期により、旧来の遠隔監視制御装置の操作画面と新しい遠隔監視制御装置の操作画面のいずれを対象とするのかを判断しなければならず、誤認を生ずるおそれがあった。
【０００６】
しかし、電気事業所の電力供給設備等では、公共サービスを安定して提供しなければならず、遠隔監視制御装置の取り替え時であっても、適切に所有機器の監視および制御を行う必要がある。
【０００７】
そのため、遠隔監視制御装置の取り替え時の監視および制御を行う方法として、電気所における遠隔監視制御装置取替時の監視制御方法及びその監視制御システムが提案されている。（例えば、特許文献１を参照）。
【特許文献１】特願２００５−３４９０１６号公報
【発明の開示】
【発明が解決しようとする課題】
【０００８】
従来は、遠隔監視制御装置の取り替え時において、監視制御システムの操作画面には、旧来の遠隔監視制御装置とのポジションリンクが定義されている一方、新しく導入する遠隔監視制御装置とのポジションリンクは、旧来の遠隔監視制御装置の操作画面とは異なる操作画面で管理が行われていた。そのため、システムの運用者に誤認を生ずるおそれがあった。
【０００９】
また、運用者が現地の制御ケーブルの切り替え状況を意識する必要があるが、工事の設計者ではないため、対象ポジションや切り替え予定を熟知することは困難であり、誤認、確認漏れによる切り替えミスの可能性があった。
【００１０】
本発明は、かかる事情に鑑みてなされたものであり、新旧の遠隔監視制御装置の操作画面を一つとし、新旧の遠隔監視制御装置の切り替えを管理し、さらに複数の機器における一連の切り替えを操作画面上で行うことで、経済面、作業面での負担を解消し、運用者に誤認を生じさせない操作画面での管理を可能とする監視制御システム及び監視制御システムにおけるポジション切り替え方法を提供することを目的とする。
【課題を解決するための手段】
【００１１】
本発明にかかる監視制御システムは、機器の監視および制御を行う遠隔監視制御装置の取り替え時に、旧来の遠隔監視制御装置から新しい遠隔監視制御装置への切り替え操作の機能を有する監視制御システムであって、監視対象の機器を示すシンボルに、新旧の遠隔監視制御装置への２重のポジションリンクを設定して、１つの画面に表示する２重ポジションリンク表示手段と、１つの機器または複数の機器のグループにおける新旧の遠隔監視制御装置の切り替え操作を行うソフトウェアスイッチを、画面に表示する切り替え操作画面表示手段と、上記シンボルから切り替えを行う機器のシンボルを選択する入力と、上記ソフトウェアスイッチへの入力を受けて、選択した機器の監視および制御を行う遠隔監視制御装置を、旧来の遠隔監視制御装置から新しい遠隔監視制御装置に切り替える遠隔監視制御装置切り替え手段と、を備えることを特徴とする。
【００１２】
ここで、遠隔監視制御装置とはテレコントロール（ＴＣ）等の機器であって、電気事業所等に採用される。シンボルとは、遠隔監視制御装置を管理するシステムの画面において、電気設備等の系統図に対応して、監視および制御の対象とする機器をあらわすアイコンのことである。
【００１３】
また、ポジションとは、遠隔監視制御装置を管理するシステムにおける機器の配置等の情報であって、上記のシンボル等により示される。ポジションリンクとは、システムの操作画面におけるシンボル等の情報と、遠隔監視制御装置が監視・制御の対象とする機器の情報とが結び付けられた状態を意味する。
【００１４】
さらに、ソフトウェアスイッチとは、本来はハードウェアで行われる新旧の遠隔監視制御装置の切り替えを、システムの操作画面で行う場合に、その切り替え指令の入力領域を意味する。
【００１５】
また、本発明にかかる監視制御システムは、前記複数の機器のグループにおける新旧の遠隔監視制御装置の切り替え操作において、グループ単位の切り替え操作の予定を、スケジューラに保存する切り替え操作予定保存手段と、前記スケジューラが保存する切り替え操作の予定を、予定日ごとに確認画面に表示する確認画面表示手段と、を備えることを特徴とする。
【００１６】
さらに、本発明の監視制御システムは、前記複数の機器のグループにおける新旧の遠隔監視制御装置の切り替え操作において、グループ単位の切り替え操作の予定を、スケジューラに保存する切り替え操作予定保存手段と、前記スケジューラが保存する切り替え操作の予定を確認画面に表示する確認画面表示手段と、を備えることを特徴とする。
【００１７】
すなわち、グループに属する複数の機器における切り替え操作のスケジュールをスケジューラに保存して、運用者が操作する画面に、切り替え操作予定の確認画面として表示する。
【００１８】
なお、前記スケジューラは、切り替え操作の予定時間の到来を待って、旧来の遠隔監視制御装置から新しい遠隔監視制御装置に切り替える自動切り替え手段を備えることを特徴とする。
これにより、スケジューラが自動的に新旧の遠隔監視制御装置の切り替えを行うことができる。
【００１９】
さらに、前記自動切り替え手段は、切り替え対象の機器がオフラインとなったことを確認して行うことを特徴とする。
これにより、ポジションの自動切り替えにより，遠隔監視制御装置と監視制御システムのポジションが不一致となることで監視および制御が不能となることを防止することができる。
【００２０】
また、本発明の監視制御システムにおけるポジション切り替え方法は、監視対象の機器を示すシンボルに２重のポジションリンクを設定して、切り替えを受けて、シンボルが対象とするポジションを切り替えることを特徴とする。
【発明の効果】
【００２１】
本発明によれば、遠隔監視制御装置の取り替え時における、監視制御システムの操作性を大幅に向上することができる。具体的には、新旧の遠隔監視制御装置の監視および制御を、一つの操作画面で行うことが可能であり、複数の操作画面で行う場合に発生するおそれがある運用者の誤認を解消することができる。
【００２２】
また、スケジューラにより複数のポジションの切り替え予定を管理できることから、運用者の切り替えミスを格段に減少させることができる。
【００２３】
さらに、切り替えスケジュールの工事の設計者が、あらかじめ作成、試験をすることができるため、誤認、確認漏れによる切り替えミスの防止を図ることが可能となる。
【発明を実施するための最良の形態】
【００２４】
以下、本発明にかかる監視制御システム及び監視制御システムにおけるポジション切り替え方法の一実施形態について、図面を参照しながら説明する。
【００２５】
図１は、監視制御システムにおける基本概要を示した図である。
監視制御システム１には、モデム１６を介してモデム２２付きの遠隔監視制御装置（旧）２１（子局ＴＣ）が接続されている（Ａポジション、Ａ−００１）。この遠隔監視制御装置（旧）２１は経年により取り替えるべき旧来の遠隔監視制御装置である。また、前記監視制御システム１には、モデム１７を介してモデム３２付きの遠隔監視制御装置（新）３１（子局ＴＣ）が接続されている（Ｂポジション、Ｂ−００１）。この遠隔監視制御装置（新）３１は新たに設置する新規の遠隔監視制御装置である。これらの遠隔監視制御装置（旧）２１及び遠隔監視制御装置（新）３１には制御ケーブル４を介して遮断機（ＣＢ）４１が接続されている。また、前記監視制御システム１の画面には、送電線、変圧器、受電部等の機器シンボルが表示されている（１ａ）。従って、前記監視制御システムの前記画面は、遠隔監視制御装置（旧）２１と遠隔監視制御装置（新）３１とを運用者によるケーブル切り替えにより切り替えて機器シンボルを一画面に表示する表示手段となるものである。しかして、前記モデム１６、１７と前記機器シンボルとの間には、仮想的に設けたソフトウェアスイッチが介挿されている（１ｂ）。このソフトウェアスイッチを設けることにより、現地制御ケーブル切り替えに対応できるように監視制御装置画面シンボルのポジションリンクの２重化をする２重ポジションリンク表示手段１２３が構成されるものである。
【００２６】
このような構成において、遠隔監視制御装置（旧）２１の取替時には、どういう順番で作業しようとも、遮断機４１による制御ケーブル４を切り替えたところだけ新しい遠隔監視制御装置（新）３１を選べるようにソフトウェアスイッチを切り替えるように操作してやればよい。すなわち、本実施の態様における監視制御システム１では、通常画面の一つの機器シンボルに対し、１つのポジションで紐付けされているが、新・旧２つのポジションに対し、どちらか一つを運用者が選択できる仕組みとなっており、選ばれたポジションと画面の機器シンボルとを紐付けする構成となっている。これにより、順番の入れ替わり等があっても、新旧の切り替えを実施したポジションのみを運用者で切り替えることで対応でき、データベースの都度切り替えが不要となっているものである。
【００２７】
このように本実施の態様によれば、一つの機器シンボルに対し、２つの異なるポジションを予めデータベースで定義することができ、運用者により、容易にどちらかを選択できる仕組みを持たせることでデータベース切り替えを一度に行うことができるものである。また、２つの異なるポジション切り替えは、仮想的に設けたソフトウェアスイッチを運用者が新旧切り替え操作をすることで行い得るので、別のハードウェアを必要としない仕組みとすることができる。したがって、順番の入れ替わり等があっても、現地の新旧遠隔監視制御装置に取り込まれる制御ケーブル４の切り替えを実施したポジションのみを、運用者が通常の機器操作と同様な操作で切り替えることができ、データベースの都度切り替えを不要としたものである。
【００２８】
次に図２は、本発明の一実施形態にかかる監視制御システム１と、専用回線２を介して接続する遠隔監視制御装置（旧）２１、専用回線３を介して接続する遠隔監視制御装置（新）３１、遠隔監視制御装置（旧）２１および遠隔監視制御装置（新）３１から制御ケーブル４を介して接続する機器４２等の機能ブロック図である。
【００２９】
監視制御システム１は、専用回線２、３を介して遠隔監視制御装置（旧）２１、遠隔監視制御装置（新）３１等と接続する送受信部１１、遠隔監視制御に関する演算処理等を行う中央演算処理部１２、監視制御の対象機器等のデータを保持する記憶部１３、データを入力するキーボード等の入力部１４およびデータを出力する表示装置あるいはプリンタ等の出力部１５から構成されている。
【００３０】
監視制御システム１の送受信部１１は、専用回線２を介して遠隔監視制御装置（旧）２１、専用回線３を介して遠隔監視制御装置（新）３１等と接続する。遠隔監視制御装置（旧）２１および遠隔監視制御装置（新）３１からは、制御ケーブル４を介して遮断器、断路器、変圧器等の機器４２等に接続する。
【００３１】
記憶部１３は、電力設備の所有機器等のポジション情報等を管理するポジションＤＢ１３１、所有機器の管理および制御を、グループごとに遠隔監視制御装置（新）３１に切り替える予定を管理するスケジューラＤＢ１３２等により構成されている。
【００３２】
中央演算処理部１２は、送受信部１１との間でデータの受け渡しを行う送受信処理手段１２１、入力部１４または出力部１５とデータの受け渡しを行う入出力処理手段１２２、操作画面に表示される電力設備の機器のシンボルに、遠隔監視制御装置（旧）２１、遠隔監視制御装置（新）３１の双方のポジションリンクを設定する２重ポジションリンク設定手段１２３、操作画面において遠隔監視制御装置（旧）２１による管理・制御から、遠隔監視制御装置（新）３１による管理・制御に切り替え可能なソフトウェアスイッチを表示する切り替え操作画面表示手段１２４、ポジションリンクが設定されたシンボルを選択し、ソフトウェアスイッチを押下等することで、遠隔監視制御装置による監視・制御を旧から新に切り替える遠隔監視制御装置切り替え手段１２５、複数の機器の切り替えをグループ化して予定を管理する切り替え操作予定保存手段１２６、切り替えの予定を確認画面に表示する確認画面表示手段１２７、切り替えの予定日に遠隔監視制御装置を自動的に切り替える自動切り替え手段１２８を備える。
【００３３】
次に、記憶部１３が保持するデータベースの構成例について説明する。
図３に示すポジションＤＢ１３１では、遠隔監視制御装置が管理・制御を行う電力設備の機器のポジション情報等を管理する。具体的には、遠隔監視制御装置（旧）２１のポジション情報を「旧ポジション」、遠隔監視制御装置（新）３１のポジション情報を「新ポジション」として管理を行い、操作画面に表示する（２重ポジションリンク表示手段１２３）。
【００３４】
他に、遠隔監視制御装置の新旧の切り替えは個別の機器またはグループごとに行うことができるが、その種別を管理する「個別・グループの種別」のデータを保持する。新旧の切り替えが行われた場合には、その切り替え日を管理する。
【００３５】
また、対象の機器がグループごとで新旧の切り替えが行われる場合には、「切り替えグループ」にグループ名を保持する。ここでのグループ名は、後述のスケジューラＤＢ１３２が保持する「切り替えグループ」と対応する。
【００３６】
図４に示すスケジューラＤＢ１３２では、新旧の切り替えがグループごとで行われる場合の情報を保持する。具体的には、それぞれの切り替えグループの名称、切り替え日等を規定する切り替え予定、切り替えを行う運用者の情報、現状における切り替えの状態を表す「ＳＷ状態」等のデータが保存される。
【００３７】
また、スケジュールの作成者の情報を保持し、その試験完了日等の情報も保持する。これにより、遠隔監視制御装置の新旧の切り替えを担当する運用者は、必要に応じてそれらの情報を参照することができる。
【００３８】
なお、スケジューラＤＢ１３２には、切り替え手順テーブルを備え、それぞれの切り替えグループに属する機器等の情報を管理する。具体的には、機器の名称やＩＤ、機器の切り替えにおける手順等の情報を管理する。これらの情報は、工事担当者等のスケジュール作成者が作成する。
【００３９】
次に、図５を参照しながらスケジューラの機能について説明する。はじめに、左側の概要図について、図１との比較において説明する。
【００４０】
図１では、設定されるソフトウェアスイッチは、個別の機器を単位として遠隔監視制御装置の新旧の切り替えを行うこととしているが、図５においては、個別の機器へのソフトウェアスイッチの作動をスケジューラが管理することで、同時に複数の機器の切り替えを行うことができる（切り替え操作画面表示手段１２４）。
【００４１】
具体的には、電力設備の系統において、関連する一定のブロックを切り替えグループとして、同日に遠隔監視制御装置の新旧切り替えを行う。切り替え日や切り替え手順等のスケジュールは工事担当者により作成され、スケジューラＤＢ１３２が備える切り替え手順テーブルに入力する。入力されたデータはスケジューラに保存される（切り替え操作予定保存手段１２６）。
【００４２】
システムの運用者は作成されたスケジュールに沿って、スケジューラの切り替えグループを選択して、ソフトウェアスイッチを押下することで、簡単に複数の機器の切り替え操作を行うことができる（遠隔監視制御装置切り替え手段１２４）。
【００４３】
これにより、システムの運用者は、対象となる機器の情報や切り替えの予定を熟知することを要せず、作業にあたることができる。
【００４４】
なお、スケジューラを選択してグループ単位で切り替え操作を行うこともできるし、シンボルを選択して個別に切り替え操作を行うこともできる。
【００４５】
具体的には、図４・図５においてスケジューラから切り替えグループの「ｂ」を選択して、ソフトウェアスイッチを押下すれば、切り替えグループ「ｂ」に含まれるＢＢ線ＣＢ、母線連絡ＣＢ等の一連の機器を、遠隔監視制御装置（新）３１による監視・制御に切り替えることができる。一方で切り替えグループ「ｂ」に含まれないＣＣ線ＣＢの場合には、系統を示す画面から該当するシンボルを選択して、ソフトウェアスイッチを押下することで、遠隔監視制御装置（新）３１による監視・制御に切り替えることができる。
【００４６】
作成されたスケジューラは、各種の確認画面において活用することができる（図６）。たとえばポジション確認画面ａでは、スケジューラにおいて選択した切り替えグループに含まれる機器（ポジション）を点滅して表示する。これにより運用者は、切り替え日に点滅した機器を確認して、ソフトウェアスイッチを押下することで、確実に切り替え操作を行うことができる。
【００４７】
また、ポジション確認画面ｂでは、機器（ポジション）の一覧表示において、該当する機器を色替えして表示を行う。さらに、切り替えのスイッチの状態を太枠で囲むことで、簡単に識別を行うことができる（確認画面表示手段１２７）。
【００４８】
これにより、システムの運用者は、遠隔監視制御装置の取り替え時においても、誤認をすることなく、監視・制御の対象機器を選択することができる。
【００４９】
次に、本発明の監視制御システムにおける第２の実施形態を、図７に基づいて説明する。
第１の実施形態においては、システムの運用者がスケジューラ等に基づいて、ソフトウェアスイッチにより切り替え操作を行うこととしているが、第２の実施形態においては、スケジューラが持つタイムスケジュール管理機能に基づき、自動で切り替え操作を行う（自動切り替え手段１２８）。
【００５０】
具体的には、工事担当者が作成したスケジュールの予定時間の到来を待って、該当する機器に対応するソフトウェアスイッチが実行する。同時にシステムの操作画面において系統図で表示されるシンボルへのポジションリンクも、遠隔監視制御装置（旧）２１から遠隔監視制御装置（新）３１に切り替わる。
【００５１】
なお、実行に当たっては、スケジューラＤＢ１３２のスケジューラテーブルが備える試験完了フラグの有無の確認を行い、「有」の場合にソフトウェアスイッチを実行し、「無」の場合にはソフトウェアスイッチを実行せず、運用者の操作画面にその旨を通知する。
【００５２】
これらの管理はスケジューラＤＢ１３２のスケジューラテーブルで「自動」を選択することで、切り替え手順テーブルにより行う。
【００５３】
また、ポジションの自動切り替えは、切り替え対象の機器がオフラインとなっていることを確認してから実行する。
【００５４】
本実施形態では、図８に示すシステム構成例において、図９に示す論理回路図の条件に該当した場合に、オフライン中であると判定して自動切り替えを行う。なお、この判定は自動切り替え時にのみ適用する。
【００５５】
まず、切り替え対象の機器がオンラインであると検出されるのは、対象ポジションであるＴＣ（遠隔監視制御装置（旧）２１）の４３Ｒ（２３）が遠方であること（Ｓ１０１）、ＤＸ（５）が備えるモデム１６において、対象ポジションのあるＴＣ（遠隔監視制御装置（旧）２１）の表示渋滞は認められず正常であること（Ｓ１０２）、対象ポジションのＴＣ（遠隔監視制御装置（旧）２１）向けの４３ＤＸ（８）がバックアップシステム６ではなく、ＤＸ（５）を選択していること（Ｓ１０３）の、３つの条件を満たす必要がある（Ｓ１０４）。
【００５６】
さらに、切り替え対象の機器がオンラインであると検出されるのは、ＤＸ（５）の制御権ＳＷ（５１）において、いずれかの対象ポジションの制御権があることも条件となる（Ｓ１０５・Ｓ１０６）。
【００５７】
そのため、ステップＳ１０４とステップＳ１０５の条件をいずれも満たす場合にのみ、切り替え対象の機器がオンラインであると検出される（Ｓ１０７）。したがって、それ以外の場合においては、オフラインであると判定される（Ｓ１０８）。
【００５８】
本実施形態においては、自動切り替え時にオンラインであると判定される場合には、自動切り替えの処理を中止し、監視制御システム１のモニタ（出力部１５）にその旨を表示し、運用者に続行可否の判断を求める。
【００５９】
これにより、ポジションの自動切り替えにより、遠隔監視制御装置と監視制御システムのポジションが不一致となることで、監視および制御が不能となることを防止することができる。
【００６０】
また、切り替え手順テーブルでは、切り替え前後のポジションと切り替え結果を保持する。これにより、切り替え結果の履歴を参照することができる。
【００６１】
なお、４３Ｒが直接である場合、表示渋滞が発生の場合、４３ＤＸがバックアップシステムである場合、ＴＣの４３ＴＥＳＴが試験中である場合、該当ポジションが受信できない場合、該当ポジションに欠損フラグが付加されている場合、該当ポジションにデータ設定中フラグが付加されている場合、該当ポジションに試験中フラグが付加されている場合を条件としてポジションデータごとに判定が行われ、いずれかの条件に該当する場合にはポジションデータが無効であるとして各機能によるエラー処理が行われる。
【００６２】
以上の通り、第２の実施形態によれば、システムの運用者の負担はさらに軽減され、安全かつ確実に新旧の遠隔監視制御装置の切り替えを行うことができる。
【図面の簡単な説明】
【００６３】
【図１】本発明の実施の形態に係る監視制御システム１の概要図である。
【図２】本発明の実施の形態に係る監視制御システム１、および、遠隔監視制御装置（旧）２１、遠隔監視制御装置（新）３１、機器４２等の機能ブロック図である。
【図３】監視制御システム１の記憶部１３が保持するポジションＤＢ１３１のデータ構成例である。
【図４】監視制御システム１の記憶部１３が保持するスケジューラＤＢ１３２のデータ構成例である。
【図５】監視制御システム１におけるスケジューラの機能を示す図である。
【図６】確認画面表示手段１２７における確認画面の表示例を示す図である。
【図７】監視制御システム１の第２の実施形態におけるスケジューラＤＢ１３２のデータ構成例である。
【図８】監視制御システム１の第２の実施形態における自動切り替え手段１２８における、システム構成イメージの図である。
【図９】監視制御システム１の第２の実施形態における自動切り替え手段１２８において、切り替え対象の機器がオフラインとなったことを確認する論理回路図である。
【符号の説明】
【００６４】
１  監視制御システム
２、３  専用回線
４  制御ケーブル
５  ＤＸ
６  バックアップシステム
７  配電システム
８  ４３ＤＸ
１１  送受信部
１２  中央演算処理部
１３  記憶部
１４  入力部
１５  出力部
１６、１７、２２、３２、６１  モデム
２１  遠隔監視制御装置（旧）
２３  ４３Ｒ
３１  遠隔監視制御装置（新）
４１  遮断器（ＣＢ）
４２  機器
５１  制御権ＳＷ
１２１  送受信処理手段
１２２  入出力処理手段
１２３  ２重ポジションリンク表示手段
１２４  切り替え操作画面表示手段
１２５  遠隔監視制御装置切り替え手段
１２６  切り替え操作予定保存手段
１２７  確認画面表示手段
１２８  自動切り替え手段
【図１】
2008225805.tif 000003
【図２】
2008225805.tif 000004
【図３】
2008225805.tif 000005
【図４】
2008225805.tif 000006
【図５】
2008225805.tif 000007
【図７】
2008225805.tif 000008
【図８】
2008225805.tif 000009
【図９】
2008225805.tif 000010
【図６】
2008225805.tif 000011